(57)【特許請求の範囲】
【請求項１】
電柱や電柱に取り付けられた腕金に固定される装柱用金具と、
一端が前記装柱用金具に連結される一方、他端が碍子を介して架線に連結される棒状体とを備えた架線装柱金具であって、
前記装柱用金具は、
対向する上側片部および下側片部と、その上側片部と下側片部とを連結する中継片部とを有する第１コ字状金具と、
前記第１コ字状金具の中継片部に面で接触する中継片部と、その中継片部の両側から前記第１コ字状金具の上側片部および下側片部とは反対側に延びる一対の連結片部と、その一対の連結片部間に設けられ、前記棒状体が回動可能に連結される軸部とを有する第２コ字状金具と、
を備えたことを特徴とする架線装柱金具。
【請求項２】
請求項１記載の架線装柱金具において、
前記装柱用金具は、さらに、
電柱の周囲を挟持して固定されるバンド金具と、
前記バンド金具と前記電柱の外周面との間に挿入される中継片部と、その中継片部の両側からそれぞれ前記バンド金具とは反対側に延び、前記第１コ字状金具の上側片部および下側片部とにそれぞれ連結される上側片部と下側片部とを有する第３コ字状金具と、
を備えたことを特徴とする架線装柱金具。
【発明の詳細な説明】
【技術分野】
【０００１】
本発明は、電線や通信線等の架線を、碍子等を介して電柱や電柱に取り付けられた腕金に連結する架線装柱金具に関する。
【背景技術】
【０００２】
電柱間に這わせた電線や通信線等の架線は、電柱に固定した腕金に碍子と架線装柱金具（活線振分け金具）等を介して連結しており（例えば、特許文献１参照。）、都市部等では一つの腕金に複数の碍子や架線装柱金具等を介して複数の架線を連結している。
【先行技術文献】
【特許文献】
【０００３】
【特許文献１】特開２０００−２４５０２４号公報
【発明の概要】
【発明が解決しようとする課題】
【０００４】
しかし、特許文献１に記載された架線装柱金具では、腕金に取り付けた架線装柱金具に直接、碍子を連結し、その碍子に電線や通信線等の架線を連結しているため、平面視、投影面積が大きい腕金と碍子との間隔が近くなる。
【０００５】
そのため、腕金および碍子に雪が積もると、腕金に積もった雪と碍子に積もった雪とが結合して大きな塊となって、架線の弛みや、断線、短絡、地絡のおそれがあると共に、大きな雪の塊が落下する、という問題があった。
【０００６】
特に、一本の腕金に複数の碍子と碍子・架線連結金具等を介して複数の架線を連結した場合、特許文献１に記載された架線装柱金具では、平面視、投影面積が大きい腕金と碍子との間隔が近いため、複数の碍子と碍子・架線連結金具等の連結部分近傍に積雪した雪が冠状に肥大化する「冠雪」が発生し易かった。
【０００７】
また、腕金を介さずに電柱に固定したバンド金具に直接、碍子を介して架線を複数連結する場合もあるが、この場合には、投影面積が大きい碍子が電柱に近付くため、バンド金具と碍子の連結部分近傍に冠雪し易くなる。
【０００８】
そこで、本発明はこのような問題点に着目してなされたもので、冠雪による架線の弛みや断線、短絡、地絡を防止できると共に、大きな雪の塊の落下も防止できる架線装柱金具を提供することを目的とする。
【課題を解決するための手段】
【０００９】
上記課題を解決するため、本発明の架線装柱金具は、電柱や電柱に取り付けられた腕金に固定される装柱用金具と、一端が前記装柱用金具に連結される一方、他端が碍子を介して架線に連結される棒状体とを備えた架線装柱金具であって、前記装柱用金具は、対向する上側片部および下側片部と、その上側片部と下側片部とを連結する中継片部とを有する第１コ字状金具と、前記第１コ字状金具の中継片部に面で接触する中継片部と、その中継片部の両側から前記第１コ字状金具の上側片部および下側片部とは反対側に延びる一対の連結片部と、その一対の連結片部間に設けられ、前記棒状体が回動可能に連結される軸部とを有する第２コ字状金具と、を備えたことを第１の特徴とする。
また、本発明の架線装柱金具は、前記架線装柱金具において、前記装柱用金具は、さらに、電柱の周囲を挟持して固定されるバンド金具と、前記バンド金具と前記電柱の外周面との間に挿入される中継片部と、その中継片部の両側からそれぞれ前記バンド金具とは反対側に延び、前記第１コ字状金具の上側片部および下側片部とにそれぞれ連結される上側片部と下側片部とを有する第３コ字状金具と、を備えたことを第２の特徴とする。
【発明の効果】
【００１０】
本発明の架線装柱金具は、電柱や電柱に取り付けられた腕金等に固定される装柱用金具と、一端が前記装柱用金具に連結される一方、他端が碍子を介して電線や通信線等の架線に連結される棒状体とを備えるため、装柱用金具と碍子との間に長尺の棒状体が存在することになる。
そのため、平面視、投影面積が大きい腕金と碍子との間隔や、碍子同士の間隔が離れるので、腕金および碍子に雪が積もっても、腕金に積もった雪と碍子に積もった雪とが結合し難くなる。
その結果、冠雪による架線の弛みや断線、短絡、地絡を防止できると共に、大きな雪の塊の落下も防止することができる。
【図面の簡単な説明】
【００１１】
【図１】本発明に係る実施形態１の架線装柱金具を使用して電柱に取り付けた腕金に３方向に架線を連結した状態を示す斜視図である。
【図２】本発明に係る実施形態１の架線装柱金具を使用して電柱に取り付けた腕金に３方向に架線を連結した場合における連結部分の拡大斜視図である。
【図３】本発明に係る実施形態１の架線装柱金具を使用して電柱に取り付けた腕金に３方向に架線を連結した場合における連結部分の要部拡大平面図である。
【図４】本発明に係る実施形態１の架線装柱金具を使用して電柱に取り付けた腕金に３方向に架線を連結した場合における連結部分の要部拡大正面図である。
【図５】本発明に係る実施形態１の架線装柱金具の斜視図である。
【図６】本発明に係る実施形態１の架線装柱金具の平面図である。
【図７】本発明に係る実施形態１の架線装柱金具の部分拡大平面図である。
【図８】本発明に係る実施形態１の架線装柱金具の正面図である。
【図９】本発明に係る実施形態１の架線装柱金具の部分拡大正面図である。
【図１０】本発明に係る実施形態２の架線装柱金具を使用して電柱に碍子を介し直接、架線を連結した場合における連結部分の拡大正面図である。
【図１１】（ａ）〜（ｃ）それぞれ本発明に係る実施形態２の架線装柱金具を構成する第３コ字状金具の平面図、正面図、左側面図である。
【発明を実施するための形態】
【００１２】
以下、本発明に係る実施形態１，２の架線装柱金具について、図面を参照して説明する。なお、下記に説明する実施形態１はあくまで本発明の一例であり、本発明は下記の実施形態１、２に限定されるものではなく、本発明の技術思想の範囲内で適宜変更可能である。
【００１３】
実施形態１．
＜実施形態１の架線装柱金具１の構成＞
実施形態１の架線装柱金具１は、図１〜図４に示すように、電柱２等の上方に取り付けられた腕金３と電線や通信線等の架線４を碍子５等を介して連結するもので、図５〜図９に示すように装柱用金具を構成する第１コ字状金具１１および第２コ字状金具１２と、軸部１３と、本発明の棒状体を構成する丸棒ストラップ１４とを備えている。尚、腕金３は、腕金取付け用バンド６,６と締結ボルト７ａおよびナット７ｂにより電柱２に取り付けられている。
【００１４】
第１コ字状金具１１は、図５〜図９に示すように、腕金３の上側面に当接する上側片部１１ａと、腕金３の下側面に当接する下側片部１１ｂと、その上側片部１１ａおよび下側片部１１ｂを中継する中継片部１１ｃとを有する正面視コ字形状に形成されており、その上側片部１１ａおよび下側片部１１ｂにはそれぞれ腕金３にボルトおよびナットにより固定するためのボルト孔１１ａ１，１１ｂ１が設けられている。尚、第１コ字状金具１１の上側片部１１ａおよび下側片部１１ｂの長さＬ１は、図７に示すように、例えば、約７８ｍｍとする。
【００１５】
第２コ字状金具１２は、第１コ字状金具１１の中継片部１１ｃに接触する中継片部１２ａと、その中継片部１２ａの両側から第１コ字状金具１１の上側片部１１ａおよび下側片部１１ｂとは反対側である丸棒ストラップ１４の方へ延びる一対の連結片部１２ｂ，１２ｃとを備えており、その一対の連結片部１２ｂ，１２ｃには、それぞれ軸部１３を構成する連結ボルト１３ａが挿入されるボルト孔１２ｂ１，１２ｃ１が設けられている。尚、第２コ字状金具１２の第２コ字状金具１２の連結片部１２ｂ，１２ｃの長さＬ２は、図７に示すように、例えば、約５３ｍｍとする。従って、第１コ字状金具１１と第２コ字状金具１２からなる装柱用金具の最大全長Ｌmax、すなわち第１コ字状金具１１の中継片部１１ｃと第２コ字状金具１２の中継片部１２ａとが当接した状態における装柱用金具の全長は、第１コ字状金具１１の全長Ｌ１（約７８ｍｍ）と第２コ字状金具１２のＬ２（約５３ｍｍ）とを加算した値から第１コ字状金具１１および第２コ字状金具１２の厚さの合計である約６ｍｍを減算した約１２５ｍｍとなる。
【００１６】
ここで、第２コ字状金具１２は、平面視、図７や図８等に示すように、コ字形状で、平面視の投影面積が小さく形成されている。
【００１７】
また、一対の連結片部１２ｂ，１２ｃは、同一形状であり、図９に示すように中継片部１２ａに連続する底辺（下底）１２ｂ１と、底辺（下底）１２ｂ１に対向して丸棒ストラップ１４側の上辺（上底）１２ｂ２と、底辺（下底）１２ｂ１と上辺（上底）１２ｂ２とを結ぶ、図８および図９、上側の斜辺１２ｂ３と、下側の斜辺１２ｂ４とを有し、かつ、斜辺１２ｂ３および斜辺１２ｂ４は、それぞれ、底辺（下底）１２ｂ１と上辺（上底）１２ｂ２に対し同一角度を成す等脚台形状に形成されている。
【００１８】
そのため、一対の連結片部１２ｂ，１２ｃは、平面視、上側に斜辺１２ｂ３を有し、かつ、丸棒ストラップ１４もループ部１４ａによって一対の連結片部１２ｂ，１２ｃとの連結部分近傍で傾斜しているので、雪が積もり難くなる。
【００１９】
また、丸棒ストラップ１４の後述するループ部１４ａが第２コ字状金具１２の一対の連結片部１２ｂ，１２ｃ間に連結された軸部１３の連結ボルト１３ａにカラー１３ｃを介して回動可能に連結した場合、図８および図９に示すように正面視、丸棒ストラップ１４の後述するループ部１４ａの開口部が現れることになるので、その開口部から丸棒ストラップ１４もループ部１４ａと一対の連結片部１２ｂ，１２ｃ間に連結された軸部１３との連結部分へ風等が入り易くなり、この点でも雪が積もり難くなる。
【００２０】
軸部１３は、第２コ字状金具１２の一対の連結片部１２ｂ，１２ｃのボルト孔１２ｂ１，１２ｃ１に挿入される連結ボルト１３ａと、ナット１３ｂと、連結片部１２ｂ，１２ｃ間の連結ボルト１３ａに通されるカラー１３ｃとから構成されている。カラー１３ｃは、例えば、鋼管または金属性パイプ等を切断して成形される。
【００２１】
カラー１３ｃは、連結ボルト１３ａの外径よりも大きい内径を有し、かつ、第２コ字状金具１２の一対の連結片部１２ｂ，１２ｃ間の間隔より小さい長さを有しており、連結ボルト１３ａに対し回動可能に装着されている。
【００２２】
丸棒ストラップ１４は、棒鋼等から構成され、その両端部は折り返してループ部１４ａ，１４ｂが設けられており、一端側のループ部１４ａは、第２コ字状金具１２の一対の連結片部１２ｂ，１２ｃ間に連結された軸部１３の連結ボルト１３ａにカラー１３ｃを介して連結ボルト１３ａに対し回動可能に連結される一方、他端側のループ部１４ｂは、電線や通信線等の架線４が連結される碍子５に連結される。
【００２３】
これにより、丸棒ストラップ１４のループ部１４ａはカラー１３ｃを介し連結ボルト１３ａに回動可能に掛止して連結されるため、第２コ字状金具１２に対し丸棒ストラップ１４が回動し易くなり、架線４の振動を丸棒ストラップ１４のループ部１４ａとカラー１３ｃを介し連結ボルト１３ａとの回動によって緩衝できるので、この点でも腕金３と碍子５等の連結部分近傍に雪が積もり難くなる。
【００２４】
尚、丸棒ストラップ１４を構成する棒鋼等の断面形状は、円形でも、楕円形、さらには角形でも良く、この実施形態１では、例えば、直径が約９ｍｍ程度で、全長Ｌ３が約６００ｍｍの棒鋼を使用しており、装柱用金具の最大全長Ｌmaxの約１２５ｍｍの５倍近い長さとしている。
【００２５】
そして、以上のように構成された実施形態１の３台の架線装柱金具１を使用して、例えば、図１〜図４に示すように電柱２等の上方に取り付けられた一本の腕金３に３方向に延びる電線や通信線等の架線４を連結する場合、図２に示すように３台の架線装柱金具１それぞれの第１コ字状金具１１の上側片部１１ａと下側片部１１ｂとを重ね合わせながら腕金３の上側面および下側面にボルトおよびナットにより連結する。
【００２６】
すると、図１〜図４に示すように一つの腕金３に複数（この場合、３つ。）の碍子５や架線装柱金具１を介して複数（この場合は、３本。）の架線４を連結することができる。
【００２７】
ここで、実施形態１の架線装柱金具１は、第１コ字状金具１１および第２コ字状金具１２と、軸部１３と、本発明の棒状体を構成する丸棒ストラップ１４とを備えており、図７や図８等に示すように装柱用金具を構成する第２コ字状金具１２と碍子５との間に長尺の棒状体１４が存在するので、平面視、投影面積が大きい腕金３と碍子５との間隔が離れることになる。
【００２８】
そのため、平面視、投影面積が大きい腕金３と碍子５との間隔が離れるので、腕金３および碍子５に雪が積もっても、腕金３に積もった雪と碍子５に積もった雪とが結合し難くなり、冠雪による架線４の弛みや断線、短絡、地絡を防止できると共に、大きな雪の塊の落下も防止することができる。
【００２９】
特に、丸棒ストラップ１４は、全長が約６００ｍｍ程度で、装柱用金具の最大全長Ｌmaxの約１２５ｍｍの５倍近い長さとしているため、投影面積が大きい腕金３と碍子５との間隔が十分に離れることになり、腕金３に積もった雪と碍子５に積もった雪とが結合して大きな塊になることを防止できる。
【００３０】
また、実施形態１の架線装柱金具１では、丸棒ストラップ１４は、第２コ字状金具１２に対し丸棒ストラップ１４のループ部１４ａが第２コ字状金具１２の一対の連結片部１２ｂ，１２ｃ間に挿入された連結ボルト１３ａに回動可能に設けられたカラー１３ｃに回動可能に掛止して連結されるため、第２コ字状金具１２に対し丸棒ストラップ１４が回動し易くなる。
【００３１】
そのため、架線４の振動を架線４の振動を丸棒ストラップ１４のループ部１４ａとカラー１３ｃを介し連結ボルト１３ａとの回動によって緩衝できるので、架線装柱金具１や碍子５等に雪が積もり難くなって、腕金３に積もった雪と碍子５に積もった雪とが結合し難くなり、この点でも冠雪による架線４の弛みや断線、短絡、地絡を防止できると共に、大きな雪の塊の落下を防止することができる。
【００３２】
また、実施形態１の架線装柱金具１では、装柱用金具を一体で成形せず、別体の第１コ字状金具１１と第２コ字状金具１２とで構成し、第１コ字状金具１１の中継片部１１ｃと第２コ字状金具１２の中継片部１２ａの面同士を接触させて連結しているため、風や振動等によって第１コ字状金具１１と第２コ字状金具１２とがズレ易くなり、この点でも架線装柱金具１や碍子５等に雪が積もり難くなって、腕金３に積もった雪と碍子５に積もった雪とが結合し難くなり、冠雪による架線４の弛みや断線、短絡、地絡を防止できると共に、大きな雪の塊の落下を防止することができる。
【００３３】
尚、上記実施形態１の説明では、装柱用金具を別体の第１コ字状金具１１と第２コ字状金具１２とで構成して説明したが、本発明では、これに限らず、第１コ字状金具１１と第２コ字状金具１２とを一体で構成しても良い。
【００３４】
実施形態２．
上記実施形態１の説明では、架線装柱金具１を電柱２に腕金取付け用バンド６,６等により設けた腕金３に取り付けるものとして説明したが、この実施形態２では、上記実施形態１の架線装柱金具１に対しさらに金具を追加して、腕金３を介さず直接電柱２に取り付ける場合について説明する。
【００３５】
図１０は、本発明に係る実施形態２の架線装柱金具１を使用して電柱２に碍子５を介し直接、架線４を連結した場合における連結部分の拡大正面図である。
【００３６】
図１０に示すように、実施形態２の架線装柱金具１では、腕金３を介さず電柱２に直接取り付けるため、実施形態１の架線装柱金具１に対し、さらに、電柱２の周囲を挟持して固定される公知のバンド金具１５，１５と、そのバンド金具１５，１５と電柱２の外周面との間に挿入される第３コ字状金具１６と、第３コ字状金具１６と実施形態１の架線装柱金具１の第１コ字状金具１１とを連結する連結ボルト１７ａおよびナット１７ｂ，１７ｃ等を追加したものである。
【００３７】
公知のバンド金具１５，１５は、腕金３を電柱３に取り付ける腕金取付け用バンド６，６と同様に一対の略半円形状の金具であり、その両側を締結ボルト１５ａおよびナット１５ｂにより締め付けて電柱２に固定される。
【００３８】
第３コ字状金具１６は、図１１（ａ）〜（ｃ）に示すように、電柱２といずれか一方のバンド金具１５，１５との間に挿入されて面接触する平面視で湾曲している中継片部１６ｃと、その中継片部１６ｃの両側からそれぞれバンド金具１５とは反対側に延び、第１コ字状金具１１の上側片部１１ａおよび下側片部１１ｂとにそれぞれ連結される上側片部１６ａと下側片部１６ｂとを有しており、上側片部１６ａと下側片部１６ｂとには、それぞれ、連結ボルト１７ａが通される長孔形状のボルト孔１６ａ１，１６ｂ１が形成されている。
【００３９】
そのため、実施形態２の架線装柱金具１によれば、上記実施形態１の架線装柱金具１に対し、さらに公知のバンド金具１５，１５と、第３コ字状金具１６と、連結ボルト１７ａおよびナット１７ｂ，１７ｃ等を追加することによって、図１０に示すように、腕金３を介さず電柱２に直接取り付けることができる。
【００４０】
その結果、腕金３を介さずに電柱２のバンド金具１５，１５に実施形態２の架線装柱金具１および碍子５を介して架線４を複数連結する場合でも、架線装柱金具１の丸棒ストラップ１４等によって投影面積が大きい複数の碍子５が電柱２から離れるので、複数の碍子５上に冠雪し難くなり、冠雪による架線４の弛みや断線、短絡、地絡を防止できると共に、大きな雪の塊の落下も防止することができる。
【符号の説明】
【００４１】
１  架線装柱金具
１１  第１コ字状金具（装柱用金具）
１１ａ  上側片部
１１ａ１  ボルト孔
１１ｂ  下側片部
１１ｂ１  ボルト孔
１１ｃ  中継片部
１２  第２コ字状金具（装柱用金具）
１２ａ  中継片部
１２ｂ  連結片部
１２ｂ１  ボルト孔
１２ｃ  連結片部
１２ｃ１  ボルト孔
１３  軸部
１３ａ  連結ボルト
１３ｂ  ナット
１３ｃ  カラー
１４  丸棒ストラップ（棒状体）
１４ａ，１４ｂ  ループ部
１５，１５  バンド金具（装柱用金具）
１５ａ  締結ボルト
１５ｂ  ナット
１６  第３コ字状金具（装柱用金具）
１６ａ  上側片部
１６ａ１  ボルト孔
１６ｂ  下側片部
１６ｂ１  ボルト孔
１６ｃ  中継片部
２  電柱
３  腕金
４  架線
５  碍子
６,６  腕金取付け用バンド
７ａ，８ａ  締結ボルト
７ｂ，８ｂ  ナット
【図１】
0006483055.tif 000002
【図２】
0006483055.tif 000003
【図３】
0006483055.tif 000004
【図４】
0006483055.tif 000005
【図５】
0006483055.tif 000006
【図６】
0006483055.tif 000007
【図７】
0006483055.tif 000008
【図８】
0006483055.tif 000009
【図９】
0006483055.tif 000010
【図１０】
0006483055.tif 000011
【図１１】
0006483055.tif 000012